(57)【要約】【課題】  静電容量の変化を検出する入力装置が設けられた電子機器において、狭い面積の画像表示領域の縁部を指で操作したときに、指の接触位置を確実に検知できるようにする。【解決手段】  Ｘ電極Ｘ１ないしＸ４と検出電極Ｓｘ１ないしＳｘ４を有する第１の検知領域２５および、Ｙ電極Ｙ１ないしＹ３と検出電極Ｓｙ１ないしＳｙ３を有する第２の検知領域２６が、画像表示領域３とその外側の非表示領域とにまたがって配置されている。よって、画像表示領域３の縁部に小さな指示画像を表示し、その指示画像付近に指を触れたときに、広い検出範囲を有する第１の検知領域２５および第２の検知領域２６によって、指の接触位置を高精度に検出できる。【選択図】図２
2007122326.tif 000002
【特許請求の範囲】
【請求項１】
電極間の静電容量の変化を検出可能な検知領域を有する入力装置において、
前記検知領域が、情報を画像で表示する所定面積の画像表示領域と、前記画像表示領域に隣接して前記画像が表示されない非表示領域との双方の領域にまたがって配置されることを特徴とする入力装置。
【請求項２】
樹脂シートに、前記電極を有する前記検知領域が設けられている請求項１記載の入力装置。
【請求項３】
前記樹脂シートが前記画像表示領域を形成する表示デバイスの表面に設置され、前記検知領域が、前記表示デバイスの縁部と角部の少なくとも一方と重なる位置、および表示デバイスから外れる位置の双方にまたがって設けられている請求項２記載の入力装置。
【請求項４】
表示デバイスと、前記表示デバイスの外周を囲む支持体と、前記表示デバイスの表面に配置された透明なカバー板とを有し、請求項２または３に記載の前記樹脂シートが、前記表示デバイスと前記カバー板との間に配置されていることを特徴とする電子機器。
【請求項５】
前記表示デバイスの縁部と角部の少なくとも一方に、前記検知領域と重なる指示画像が表示され、この指示画像が、樹脂シートを透過して目視可能である請求項４記載の電子機器。
【請求項６】
前記表示デバイスの外側で且つ前記表示デバイスの縁部または角部に隣接する位置に、指示表示が設けられている請求項４記載の電子機器。
【請求項７】
前記樹脂シートは、表示デバイスから離れる位置まで延びて、樹脂シートには表示デバイスから離れた位置に、電極間の静電容量の変化を検出可能な他の操作領域が設けられている請求項４ないし６のいずれかに記載の電子機器。
【発明の詳細な説明】
【技術分野】
【０００１】
本発明は、指などの導電体の接触位置を静電容量の変化として検出可能な入力装置に係り、画像表示領域の表示領域を狭めることなく、高精度な検出出力を得ることができる入力装置および前記入力装置を使用した電子機器に関する。
【背景技術】
【０００２】
携帯電話、パーソナルコンピュータその他の各種電子機器では、液晶表示デバイスなどが配置された画像表示領域が設けられている。この種の電子機器として、液晶表示デバイスの表面にタブレット入力装置が設けられ、画像表示領域に表示された指示画像を参照しながら、この指示画像が表示されている箇所に指などを触れることで、指示画像に対応する情報の入力が行えるものがある。
【０００３】
上記のように、画像表示領域にタブレット入力装置が設けられた電子機器は、その画像表示領域に指示画像のみを表示する例えばＡＴＭ装置や、または画像表示領域が広く、指示画像の表示領域以外の残余領域が他の情報を表示できる広いスペースを有している大型機器に適している。一方、携帯用機器や小型のパーソナルコンピュータ、あるいは小型のゲーム装置などのように、画像表示領域の面積が小さい小型の電子機器では、画像表示領域に指示画像が表示される領域を設けると、画像表示領域内の残余領域が狭くなり、前記指示画像以外の情報の表示が困難となる。
【０００４】
以下の特許文献１と特許文献２には、画像表示領域の周囲に配置された枠体に、入力操作部が配列された電子機器が開示されている。この電子機器は、画像表示装置での表示情報を参照し、枠体に配置された入力操作部を操作することが可能であり、また画像表示領域に、各種情報を広い面積で表示することが可能となっている。
【特許文献１】特開平７−４４３０６号公報
【特許文献２】特許第３１９５７２４号掲載公報
【発明の開示】
【発明が解決しようとする課題】
【０００５】
しかし、特許文献１および特許文献２に記載のように、画像表示領域の周囲に位置する枠体に入力操作部を設けたものでは、画像表示領域の外側に位置する枠体に、指の操作が可能な広い面積の入力操作部を設けることが必要になって、この場合も小型の電子機器に適用することが難しい。
【０００６】
本発明は上記従来の課題を解決するものであり、画像表示領域の中央部に広い情報表示領域を確保でき、しかも指などの操作位置を確実に検知できる入力装置および前記入力装置を使用した電子機器を提供することを目的としている。
【課題を解決するための手段】
【０００７】
本発明は、電極間の静電容量の変化を検出可能な検知領域を有する入力装置において、
前記検知領域が、情報を画像で表示する所定面積の画像表示領域と、前記画像表示領域に隣接して前記画像が表示されない非表示領域との双方の領域にまたがって配置されることを特徴とするものである。
【０００８】
例えば、本発明は、樹脂シートに、前記電極を有する前記検知領域が設けられているものである。
【０００９】
この場合に、前記樹脂シートが前記画像表示領域を形成する表示デバイスの表面に設置され、前記検知領域が、前記表示デバイスの縁部と角部の少なくとも一方と重なる位置、および表示デバイスから外れる位置の双方にまたがって設けられているものである。
【００１０】
また、本発明の電子機器は、表示デバイスと、前記表示デバイスの外周を囲む支持体と、前記表示デバイスの表面に配置された透明なカバー板とを有し、前記樹脂シートが、前記表示デバイスと前記カバー板との間に配置されていることを特徴とするものである。
【００１１】
本発明の入力装置およびこの入力装置を使用した電子機器では、静電容量の変化を検出する検知領域が形成されており、この検知領域が、画像表示領域とこれに隣接する非表示領域の双方にまたがって配置されている。そのため、画像表示領域に表示される情報を参照して、画像表示領域と非表示領域とにまたがる位置を指などで操作することで入力操作を行うことができる。そのため、画像表示領域の面積が小さくても、あるいは非表示領域の面積が小さくても、検知領域において、指などによる操作を確実に認識することができる。
【００１２】
例えば、本発明の電子機器は、前記表示デバイスの縁部と角部の少なくとも一方に、前記検知領域と重なる指示画像が表示され、この指示画像が、樹脂シートを透過して目視可能である。
【００１３】
上記構成では、画像表示領域の縁部または角部の限られた領域に小さな面積の指示画像を表示した場合に、指示画像が表示されている領域において、画像表示領域と非表示領域をまたがるようにして指で操作することにより、確実な操作入力を行うことができる。そのため、画像表示領域では、指示画像が表示されていない残余領域の面積を広く確保でき、この残余領域に各種情報を表示しやすくなる。
【００１４】
あるいは、本発明の電子機器は、前記表示デバイスの外側で且つ前記表示デバイスの縁部または角部に隣接する位置に、指示表示が設けられているものであってもよい。
【００１５】
上記構成では、画像表示領域から外れた周囲領域の面積が狭く、この狭い領域に指示表示を設けた場合に、この指示領域と画像表示領域にまたがる位置を指で操作することによって、確実に情報を入力することができる。
【００１６】
さらに本発明の電子機器は、前記樹脂シートは、表示デバイスから離れる位置まで延びて、樹脂シートには表示デバイスから離れた位置に、電極間の静電容量の変化を検出可能な他の操作領域が設けられているものとすることが可能である。
【００１７】
すなわち、共通の樹脂シートに、画像表示領域と非表示領域とにまたがる検知領域と、さらに画像表示領域から離れた位置に配置される他の操作領域の双方を配置することができ、部品数を削減して、多種の操作入力を行うことが可能になる。
【発明の効果】
【００１８】
本発明の入力装置およびこの入力装置を使用した電子機器では、画像表示領域の面積が小さく、あるいは画像表示領域の周囲の非表示領域の面積の小さい電子機器であっても、指などの操作を確実に検知することができる。
【発明を実施するための最良の形態】
【００１９】
図１は本発明の第１の実施の形態の電子機器を示す正面図、図２は前記電子機器に設けられた入力装置の構造を説明する説明図、図３は図２のＩＩＩ−ＩＩＩ線断面での断面図である。図４と図５は前記電子機器の画像表示領域での指示画像の表示例を示す説明図である。
【００２０】
図１に示す電子機器１は、携帯が可能な小型なものであり、携帯電話、ゲーム装置、小型のパーソナルコンピュータ、あるいはハードディスク装置やフラッシュメモリを内蔵した小型オーディオ装置などである。
【００２１】
図１に示す電子機器１は、合成樹脂製の筐体２を有しており、その前面２ａでは、図示上方に所定面積の画像表示領域３が設けられており、画像表示領域３よりも図示下側の領域に操作領域４が設けられている。操作領域４には、複数の操作入力部５が設けられている。この操作入力部５は、互いに独立して動作する複数の押し釦であり、筐体２の内部には、押し釦であるそれぞれの操作入力部５の押圧操作に応じて動作するスイッチ素子が設けられている。あるいは、操作領域４では、筐体２の内部に静電容量の変化を検出して指などの導電体の接触位置を座標情報で検出する検出パッドが設けられていてもよいし、この検出パッドと押し釦式の前記操作入力部の双方が配置されていてもよい。
【００２２】
図１と図２では、画像表示領域３を、他の領域と区別しやすいように破線のハッチングを付して示している。筐体２の前面２ａでは、前記画像表示領域３の周囲に位置し、前記画像表示領域３を除いた領域が非表示領域である。
【００２３】
図３の断面図に示すように、筐体２の前面２ａの内部には、前記画像表示領域３を構成する表示デバイス１１が設けられている。この表示デバイス１１は静止画像や動画像を自由に表示できるものであり、例えば液晶表示パネル、プラズマ表示パネルなどである。
【００２４】
図３に示すように、前記表示デバイス１１は、その外周部分が支持体１２に保持されている。支持体１２は合成樹脂材料で形成されているものであり、この実施の形態では、支持体１２が筐体２とは別体に構成され、支持体１２が筐体２の内面に固定されている。ただし、前記支持体１２が筐体２と一体に形成されているものであってもよい。筐体２の前面２ａには、四角形のカバー板１３が設けられている。このカバー板１３は透明であり、透明樹脂板またはガラス板である。
【００２５】
図３に示すように、カバー板１３の表面１３ａは、筐体２の前面２ａと同一面である。さらに、図１および図２に示すように、前記カバー板１３は、表示デバイス１１よりも一回り大きい面積を有しており、カバー板１３の中央部の内側に前記表示デバイス１１が位置し、カバー板１３の周囲部分の内側に前記支持体１２が位置している。よって、筐体２の前面２ａでは、カバー板１３を透視して、表示デバイス１１およびその周囲に位置する支持体１２が目視可能である。前述のように、カバー板１３を透して表示デバイス１１の表示面を目視できる領域が画像表示領域３であり、カバー板１３を透視して支持体１２を目視できる領域が非表示領域である。
【００２６】
または、筐体２に形成された窓と表示デバイス１１の面積が同じであって、表示デバイス１１と隣接する部分が筐体２で覆われている構造であってもよい。この場合、前記非表示領域には、筐体２が存在しているものとなる。
【００２７】
図３に示すように、表示デバイス１１と支持体１２の表面で、且つカバー板１３の内面には、入力装置を構成する樹脂シート２０が設けられている。この樹脂シート２０は、カバー板１３とほぼ同じ面積を有しており、表示デバイス１１の表面の全域と支持体１２の表面の双方が樹脂シート２０で覆われている。そのため、樹脂シート２０は透明である。
【００２８】
図２は、入力装置として樹脂シート２０に設けられた各電極を、理解しやすいように実線で示している。また、図２では、Ｘドライバー１５とＹドライバー１６および検出部１７が筐体２の外部へ突出しているかのように図示されているが、実際は、これら、Ｘドライバー１５とＹドライバー１６および検出部１７が、筐体２の内部に設けられており、樹脂シート２０に設けられた各電極から引き出された引出し線が、図３に示すように、樹脂シート２０に一体に形成された延長部２１上に形成されて、この延長部２１を介して各電極と、前記Ｘドライバー１５とＹドライバー１６および検出部１７とが接続されている。
【００２９】
図２に示すように、樹脂シート２０には、Ｘ電極Ｘ１，Ｘ２，Ｘ３，Ｘ４が一定の間隔で平行に設けられている。Ｘ電極の中間には、Ｘ側の検出電極Ｓｘ１，Ｓｘ２，Ｓｘ３，Ｓｘ４が設けられている。それぞれの検出電極Ｓｘ１，Ｓｘ２，Ｓｘ３，Ｓｘ４は、Ｘ電極Ｘ１，Ｘ２，Ｘ３，Ｘ４と平行であり、それぞれのＸ電極と検出電極は、全て等間隔で配置されている。Ｘ電極Ｘ１，Ｘ２，Ｘ３，Ｘ４とＸ側の検出電極Ｓｘ１，Ｓｘ２，Ｓｘ３，Ｓｘ４は、樹脂シート２０の同じ面に形成されていてもよいし、表裏逆の面に分かれて設けられていてもよい。
【００３０】
Ｘ電極Ｘ１，Ｘ２，Ｘ３，Ｘ４とＸ側の検出電極Ｓｘ１，Ｓｘ２，Ｓｘ３，Ｓｘ４は、ともに前記画像表示領域３の縁線３ａを超えて、画像表示領域３の縁部と重なる領域から画像表示領域３から外れる非表示領域にまたがるように形成されている。Ｘ電極とＸ側の検出電極が対向している領域が第１の検知領域２５である。第１の検知領域２５は、画像表示領域３の縁部（縁線３ａから内側へ所定の幅の領域）と重なる位置（表示デバイス１１の縁部と重なる位置）から、非表示領域にわたって形成されている。
【００３１】
図２に示すように、樹脂シート２０には、Ｙ電極Ｙ１，Ｙ２，Ｙ３が一定の間隔で互いに平行に形成されている。また、Ｙ電極の中間には、Ｙ側の検出電極Ｓｙ１，Ｓｙ２，Ｓｙ３が設けられている。それぞれのＹ電極とＹ側の検出電極は互いに平行であり、且つその間隔も一定である。Ｙ電極Ｙ１，Ｙ２，Ｙ３と、Ｙ側の検出電極Ｓｙ１，Ｓｙ２，Ｓｙ３は、樹脂シート２０の同じ表面に形成されていてもよいし、Ｙ電極とＹ側の検出電極が、樹脂シート２０の表面と裏面のそれぞれに分かれて形成されていてもよい。
【００３２】
Ｙ電極Ｙ１，Ｙ２，Ｙ３と、Ｙ側の検出電極Ｓｙ１，Ｓｙ２，Ｓｙ３は、ともに、画像表示領域３の縁線３ｂを越えて、画像表示領域３の縁部に重なる位置から、これに隣接する非表示領域にまたがって配置されている。Ｙ電極とＹ側の検出電極とが対向する領域が第２の検知領域２６である。この第２の検知領域２６は、画像表示領域３の縁部（縁線３ｂから内側へ所定の幅の領域）と重なる位置（表示デバイス１１の縁部と重なる位置）から、非表示領域にわたって形成されている。
【００３３】
図２に示すように、Ｘ電極Ｘ１，Ｘ２，Ｘ３，Ｘ４は、Ｘドライバー１５に接続されている。Ｙ電極Ｙ１，Ｙ２，Ｙ３は、Ｙドライバー１６に接続されている。そして、Ｘ側の検出電極Ｓｘ１，Ｓｘ２，Ｓｘ３，Ｓｘ４と、Ｙ側の検出電極Ｓｙ１，Ｓｙ２，Ｓｙ３は、ともに検出部１７に接続されている。
【００３４】
この実施の形態では、樹脂シート２０と、Ｘ電極Ｘ１，Ｘ２，Ｘ３，Ｘ４と、Ｙ電極Ｙ１，Ｙ２，Ｙ３および、Ｘ側の検出電極Ｓｘ１，Ｓｘ２，Ｓｘ３，Ｓｘ４と、Ｙ側の検出電極Ｓｙ１，Ｓｙ２，Ｓｙ３、さらには、Ｘドライバー１５とＹドライバー１６および検出部１７によって、入力装置が構成されている。
【００３５】
上記構成の入力装置では、Ｘドライバー１５によって、Ｘ電極Ｘ１，Ｘ２，Ｘ３，Ｘ４に対して、順番に電圧が与えられ、その結果、Ｘ電極Ｘ１，Ｘ２，Ｘ３，Ｘ４に順番に電荷が与えられる。カバー板１３の表面１３ａにおいて、第１の検知領域２５のいずれかの箇所に導電体である指が触れると、Ｘ電極とＸ側の検出電極との間の容量に加えて、指とＸ側の検出電極との間で容量を持つようになり、結果として静電容量が低下し、その出力が、Ｘ側の検出電極Ｓｘ１，Ｓｘ２，Ｓｘ３，Ｓｘ４を経て検出部１７で検出される。図示しない制御部では、Ｘ電極Ｘ１，Ｘ２，Ｘ３，Ｘ４のどのＸ電極へ電圧が印加されているかのタイミングと、Ｘ側の検出電極Ｓｘ１，Ｓｘ２，Ｓｘ３，Ｓｘ４から得られる検出出力とから、第１の検知領域２５のどの箇所に指が触れているかを、Ｘ方向の座標位置情報として認識できる。
【００３６】
また、Ｙドライバー１６によって、Ｙ電極Ｙ１，Ｙ２，Ｙ３に順番に電圧が与えられ、その結果、Ｙ電極Ｙ１，Ｙ２，Ｙ３に順番に電荷が与えられる。このとき、Ｙ電極Ｙ１，Ｙ２，Ｙ３のどのＹ電極に電荷が与えられているかのタイミングと、Ｙ側の検出電極Ｓｙ１，Ｓｙ２，Ｓｙ３の検出出力とから、制御部では、第２の検知領域２６のどの箇所に指が触れたかをＹ方向の座標位置情報として認識することができる。
【００３７】
図２に示すように、第１の検知領域２５は、画像表示領域３の縁部と重なる位置から非表示領域まで延びている。したがって、画像表示領域３と非表示領域とをまたぐ位置に指を触れることにより、Ｘ方向での接触位置を認識できる。これは、第２の検知領域２６においても同じである。したがって、電子機器１が小型であって、画像表示領域３の面積が小さい場合であっても、画像表示領域３から非表示領域にまたがる位置を指で触れたことを、第１の検知領域２５または第２の検知領域２６によって高精度に検知することが可能である。
【００３８】
図４は、前記電子機器１における画像表示領域３での表示形態の一例を示している。
図４に示す例では、表示デバイス１１の表示動作によって、画像表示領域３のＸ方向に延びる縁線３ａの内側に小さな指示画像４１，４２，４３，４４が表示されており、画像表示領域３のＹ方向に延びる縁線３ｂの内側に小さな指示画像４５，４６，４７が表示されている。指示画像４１，４２，４３，４４，４５，４６，４７は、いずれも指３０の面積よりも十分に小さいものである。その結果、画像表示領域３の中央部分の残余領域を広く確保でき、この残余領域に、指示画像以外の静止画像または動画像を表示することが可能である。
【００３９】
また、第１の検知領域２５の面積は、それぞれの指示画像４１，４２，４３，４４の面積よりも広く、第２の検知領域２６の面積は、それぞれの指示画像，４５，４６，４７の面積よりも広い。
【００４０】
指示画像４１ないし４７のいずれかの指示情報に基づいて操作入力を行う場合には、指を指示画像４１ないし４７のいずれかに触れる。このとき指を、画像表示領域３の縁線３ａを超えて、画像表示領域３と非表示領域の双方に触れさせると、十分な広さを有する第１の検知領域２５によって、指が触れた位置のＸ方向の座標位置を検出できる。その結果、指示画像４１，４２，４３，４４のどの情報の入力を行ったかを認識できる。これは、指示画像４５，４６，４７での入力に関しても同じであり、指を縁線３ｂをまたぐ位置に触れることにより、広い面積を有する第２の検知領域２６によって、指の接触位置を検知でき、指示画像４５，４６，４７のどの情報の入力を行ったかを認識できる。
【００４１】
したがって、個々の指示画像４１ないし４７の面積が小さくても、指の接触位置を確実に検出することができる。また画像表示領域３の中央部分に広い表示領域を確保することができる。
【００４２】
なお、図４の例では、指示画像４１，４２，４３，４４が、画像表示領域３の縁線３ａに沿って間隔を開けて配置され、指示画像４５，４６，４７が、画像表示領域３の縁線３ｂに沿って間隔を開けて配置されているが、このような表示とは別に、あるいはこれら表示に加えて、画像表示領域３の４つの角部のいずれかの箇所に指示画像が表示され、第１の検知領域２５と第２の検知領域２６が、前記角部での指の接触を検知できるように配置されてもよい。
【００４３】
図５は、表示デバイス１１によって画像表示領域３に表示される他の指示画像の表示例を示している。
【００４４】
図２に示す構成では、第１の検知領域２５において、指が触れる位置をＸ方向の座標位置として連続的に検知することが可能であり、第２の検知領域２６でも、指が触れる位置をＹ方向の座標位置として連続的に検知することが可能である。よって、画像表示装置３の縁線３ａおよび縁線３ｂに沿う連続的な座標入力が可能である。
【００４５】
そこで、図５に示す実施の形態では、表示画像表示領域３において、縁線３ａに沿うカーソル表示が指示画像４８として表示されており、縁線３ｂに沿うカーソル表示が指示画像４９として表示されている。例えば、指３０を指示画像４８のカーソルマーク４８ａに合わせ、そのまま指３０を右方向へ移動させることにより、カーソルマーク４８ａを連続的に右方向へ移動させる入力を行うことができる。例えば、この入力操作によって、画像表示領域３の中央部の残余領域に表示された情報を右方向へスクロールするなどの操作が可能である。なお、指３０をカーソルマーク４８ａの表示位置に触れる際に、指をタッピング、すなわち速い速度で接触と離反を連続動作で行い、その後に指をカーソルマーク４８ａに触れて、指を移動させる操作を行い、制御部ではタッピングが行われたことを認識して、カーソルマーク４８ａの移動操作であると認識してもよい。
【００４６】
上記操作は、縦方向に延びるカーソル表示である指示画像４９を操作するときにおいても同じである。
【００４７】
この場合も、指示画像４８と指示画像４９は、画像表示領域３の縁線３ａと縁線３ｂに沿う細い領域に表示することができる。指示画像４８，４９が細い領域であっても、第１の検知領域２５と第２の検知領域２６は、指示画像４８，４９よりも広い面積を有しているため、指３０を、画像表示領域３と非表示領域とにまたがって接触させることにより、広い面積の第１の検知領域２５と第２の検知領域２６とで、指の接触および移動を高精度に検知することができる。また、指示画像４８，４９が細い領域の表示であるため、画像表示領域３の中央部の残余領域を広く確保でき、この残余領域に種々の情報を表示することが可能である。
【００４８】
図６は本発明の第２の実施の形態の電子機器１００を示す拡大正面図である。
この電子機器１００に設けられた入力装置は、図２と図３に示すものと同じであり、第１の検知領域２５が、画像表示領域３と非表示領域とにまたがって設けられ、第２の検知領域２６が、画像表示領域３と非表示領域とにまたがって設けられている。
【００４９】
また、画像表示領域３のＸ方向に延びる縁線３ａの外側の非表示領域において、縁線３ａに接触するようにまたは縁線３ａと近接する位置に、固定表示である指示表示５１，５２，５３，５４，５５，５６，５７が付されている。同様に、画像表示領域３のＹ方向に延びる縁線３ｂの外側の非表示領域において、縁線３ｂに接触するようにまたは縁線３ｂと近接する位置に、固定表示である指示表示５８，５９，６０が付されている。これら指示表示５１ないし６０は、図３に示す支持体１２の表面に印刷などの手段で付されている。また、指示表示５１ないし６０が付されている領域の面積は、第１の検知領域２５の面積、および第２の検知領域２６の面積よりも十分に小さい。
【００５０】
この実施の形態では、指示表示５１ないし５７のいずれかを操作する際に、支持表示が小さいため、画像表示領域３と非表示領域をまたがるようにして指を触れる必要がある。その接触位置は、十分な面積を有する第１の検知領域２５において検知でき、どの指示表示の情報を入力するのかを確実に認識ができる。これは指示表示５８ないし６０のいずれかを操作するときも同じである。
【００５１】
この実施の形態では、指示表示５１ないし６０を、画像表示領域３の外側の非表示領域において、縁線３ａ，３ｂに沿うように狭い領域に形成しても、指による接触位置を第１の検知領域２５または第２の検知領域２６によって高精度に検知することができる。したがって、画像表示領域３の外周部分の狭い面積に指示表示５１ないし６０を配置することができ、小型の電子機器を構成しやすくなる。
【００５２】
なお、上記の固定表示である指示表示５１ないし６０と、図４または図５に示した、画像表示領域３での指示画像とを併用することも可能である。
【００５３】
図７は本発明の第３の実施の形態の電子機器２００を示す部分拡大正面図である。
この電子機器２００では、筐体２の前面２ａの内側に入力装置を構成する樹脂シート２２０が広い面積で設けられており、その一部は、画像表示領域３の縁部３ａを超えて画像表示領域３の内部に位置しており、さらに樹脂シート２２０の他の大部分は、画像表示領域３よりも下に位置する他の操作領域２０４に延びている。
【００５４】
樹脂シート２２０には、Ｘ電極Ｘ１１，Ｘ１２，Ｘ１３，Ｘ１４と、検出電極Ｓ１，Ｓ２，Ｓ３，Ｓ４，Ｓ５とが、Ｙ方向に向けて互いに平行に延びている。Ｘ電極と検出電極は、樹脂シート２２０の一方の面に形成されている。樹脂シート２２０の他方の面には、Ｙ電極Ｙ１１，Ｙ１２，Ｙ１３，Ｙ１４，Ｙ１５，Ｙ１６がＸ方向に向けて互いに平行に延びている。それぞれのＸ電極はＸドライバー２１５に接続され、それぞれのＹ電極はＹドライバー２１６に接続され、それぞれの検出電極は検出部２１７に接続されている。
【００５５】
また、Ｘ電極Ｘ１１，Ｘ１２，Ｘ１３，Ｘ１４と、検出電極Ｓ１，Ｓ２，Ｓ３，Ｓ４，Ｓ５は、画像表示領域３の内部に重なる位置に延びている。
【００５６】
この入力装置では、各Ｘ電極と各Ｙ電極の双方に、順番に電圧が印加される。筐体２の前面２ａの表面のいずれかの箇所に指を触れると、その位置をＸ−Ｙ座標上で認識することができ、また画像表示領域３の縁線３ａに隣接する部分に指を触れたときも、その接触位置を座標情報として認識することができる。したがって、図４または図５に示すように、画像表示領域３において、縁線３ａの内側に沿うように指示画像４１ないし４４または指示画像４８を表示しておけば、画像表示領域３と非表示領域にまたがる位置を指で触れることにより、指示画像に対応した情報の入力を行うことができる。
【００５７】
また、操作領域２０４においても指の接触位置を認識できるため、操作領域２０４においても各種操作入力が可能である。例えば、筐体２の前面２ａにキー入力箇所２１１を印刷表示しておくと、入力装置の座標検出によって、どのキー入力箇所２１１に指が触れたかを認識できる。あるいは、樹脂シート２２０による入力装置と併用して、キー入力箇所２１１に押圧式スイッチを配置してもよい。
【００５８】
第３の実施の形態では、画像表示領域３と非表示領域とにまたがって形成される検知領域と、他の操作領域２０４とを、共通の入力装置として構成できるため、部品点数の削減が可能である。
【００５９】
なお、本発明の各実施の形態の入力装置は、樹脂シートに、Ｘ電極とＹ電極と、さらに検出電極が設けられ、Ｘ電極とＹ電極に順番に電圧が印加され、検出電極の出力に基づいて静電容量の変化を検出するものとして説明したが、本発明の入力装置は、静電容量を検出できる構成であればどのようなものであってもよく、例えば、Ｘ電極とＹ電極およびアース電極とを備え、Ｘ電極とアース電極間の静電容量の変化、およびＹ電極とアース電極間の静電容量の変化を検出するものであってもよい。
【図面の簡単な説明】
【００６０】
【図１】本発明の第１の実施の形態の電子機器を示す正面図、
【図２】第１の実施の形態の電子機器に設けられた入力装置の構成を示す説明図、
【図３】図２のＩＩＩ−ＩＩＩ線での断面図、
【図４】第１の実施の形態の電子機器における、画像表示領域での指示画像の表示例を示す説明図、
【図５】第１の実施の形態の電子機器における、画像表示領域での指示画像の他の表示例を示す説明図、
【図６】本発明の第２の実施の形態の電子機器を示す部分正面図、
【図７】本発明の第３の実施の形態の電子機器に設けられた入力装置の構成を示す説明図、
【符号の説明】
【００６１】
１  電子機器
２  筐体
２ａ  表面
３  画像表示領域
３ａ，３ｂ  縁線
１１  表示デバイス
１２  支持体
１３  カバー板
１５  Ｘドライバー
１６  Ｙドライバー
１７  検出部
４１ないし４７  指示画像
４８，４９  指示画像
５１ないし６０  指示表示
Ｘ１ないしＸ４  Ｘ電極
Ｙ１ないしＹ３  Ｙ電極
Ｓｘ１ないしＳｘ３  Ｘ側の検出電極
Ｓｙ１ないしＳｙ３  Ｙ側の検出電極
【図１】
2007122326.tif 000003
【図２】
2007122326.tif 000004
【図３】
2007122326.tif 000005
【図４】
2007122326.tif 000006
【図５】
2007122326.tif 000007
【図６】
2007122326.tif 000008
【図７】
2007122326.tif 000009